(57)【要約】      （修正有）【課題】瞬発的に過大な正逆回転トルクが固定子鉄心にかかった場合でも、固定子鉄心の軸心移動や変形を確実に回避することができ、かつ簡単な加工により回転電機固定子の回り止め構造を提供する。【解決手段】軸方向に積層した積層鋼板を、当該積層鋼板の外周面の周方向に複数配置され、軸方向の全長に延設した複数の固定板２で固定してなる固定子鉄心１と、周方向に配置され、軸方向に延設する複数のリブ４によって形成される空間６内に前記固定子鉄心を嵌合し、前記複数のリブを介して前記固定子鉄心を保持する固定子枠３と、を備えた回転電機の固定子において、前記固定板は、前記固定子鉄心の外周面上の少なくとも４か所で、軸心を基準とした対称位置に、外方向に突出して設けると共に、前記リブは、前記固定子鉄心が正逆回転しようとしたときに、少なくとも２か所の固定板と、その側面が軸方向の全長にわたって当接するように設ける。【選択図】図１
2015228718.tif 000002
【特許請求の範囲】
【請求項１】
軸方向に積層した積層鋼板を、当該積層鋼板の外周面の周方向に複数配置され、軸方向の全長に延設した複数の固定板で固定してなる固定子鉄心と、
周方向に配置され、軸方向に延設する複数のリブによって形成される空間内に前記固定子鉄心を嵌合し、前記複数のリブを介して前記固定子鉄心を保持する固定子枠と、を備えた回転電機の固定子において、
前記固定板は、前記固定子鉄心の外周面上の少なくとも４か所で、軸心を基準とした対称位置に、外方向に突出して設けると共に、
前記リブは、前記固定板の内の少なくとも４か所の固定板に近接し、前記固定子鉄心が正逆回転しようとしたときに、当該回転方向に対し、軸心を基準とした対称位置の少なくとも２か所の固定板と、その側面が軸方向の全長にわたって当接するように設け、
軸心を基準とした対称位置で、その側面が軸方向の全長にわたって当接する固定板とリブとにより前記固定子鉄心の回り止めを行うことを特徴とする回転電機の固定子。
【請求項２】
前記リブは前記各固定板の両側に近接して設けられたことを特徴とする請求項１記載の回転電機の固定子。
【請求項３】
前記固定板は前記各リブの両側に近接して設けられたことを特徴とする請求項１記載の回転電機の固定子。
【発明の詳細な説明】
【技術分野】
【０００１】
本発明の実施形態は、複数のリブを介して固定子鉄心を固定子枠に保持する回転電機の固定子に関する。
【背景技術】
【０００２】
一般的に回転電機においては、運転時に回転子の回転トルクに対して、固定子鉄心に反力として、回転子の回転方向とは逆の力が発生し、特に突発短絡故障時等には、正逆両方の力が瞬発的に発生し、それに伴い固定子鉄心は正逆両方に回転しようとする。
【０００３】
そこで、固定子鉄心の回転を止めるために固定子枠と固定子鉄心を打込み鋲にて固定する方法、固定子枠に凹部、固定子鉄心に凸部をそれぞれ設けて、凹凸の係合により回り止めする方法など種々の対策が講じられている。
【０００４】
例えば、下記先行技術文献に開示された回転電機は、図６に示すように、固定子枠２１に、軸方向に延びる複数の軸方向リブ２９ｃ、２９ｅ、２９ｆ、２９ｇ、２９ｈが固定子鉄心２８の軸心Ｃを通る水平面Ｘより下面に配設されるとともに、積層鋼板を積層した固定子鉄心２８の外周をかしめ固定する固定子鉄心固定板５０ｄの軸方向２か所に突部５１ａ、５１ｂ（不図示）が、また固定子鉄心固定板５０ｅの軸方向２か所に突部５２ａ、５２ｂ（不図示）が溶接されている。
【０００５】
そして、固定子鉄心２８を固定子枠２１の内部に組み込んだ時、すなわち軸方向リブ２９ｃ、２９ｅ、２９ｆ、２９ｇ、２９ｈで固定子鉄心２８の外周面を保持した時に、突部５１ａ、５１ｂが軸方向リブ２９ｃの上面近傍に位置し、また、突部５２ａ、５２ｂが軸方向リブ２９ｅの上面近傍に位置するように構成され、当該構成によって固定子鉄心２８の正逆両方向の回り止めを行っている。
【先行技術文献】
【特許文献】
【０００６】
【特許文献１】特開平９−９８５５０号公報
【発明の概要】
【発明が解決しようとする課題】
【０００７】
上記従来例では、固定子鉄心２８の外周をかしめ固定する固定子鉄心固定板５０ｄ、５０ｅ上に、それぞれ軸方向に２か所突部５１ａ、５１ｂと５２ａ、５２ｂを設けるために、それぞれの突部を溶接する等の加工の手間が発生する問題がある。
【０００８】
また、固定子鉄心２８の回転方向によって固定子鉄心固定板５０ｄの突部５１ａ、５１ｂと軸方向リブ２９ｃとが、あるいは固定子鉄心固定板５０ｅの突部５２ａ、５２ｂと軸方向リブ２９ｅとが当接する１方向１か所の回り止め構成であるので、短絡故障等によって瞬発的に過大な正逆回転トルクが固定子鉄心２８にかかった場合、その当接部を支点に固定子鉄心２８の軸心が移動したり、あるいは、固定子鉄心固定板５０ｄ、５０ｅにそれぞれ設けた２か所の突部５１ａ、５１ｂと５２ａ、５２ｂと、固定子枠２１に設けた軸方向リブ２９ｃ、２９ｅとの２点の当接によって回り止め機能を持たせているため、当該当接部分にのみ集中応力がかかり、固定子鉄心固定板５０ｄ、５０ｅや軸方向リブ２９ｃ、２９ｅが変形して、場合によっては固定子鉄心２８自体に変形を起こす問題がある。
【０００９】
本発明は、上記課題を解決するためになされたものであり、突発短絡故障等によって瞬発的に過大な正逆回転トルクが固定子鉄心にかかった場合でも、固定子鉄心の軸心移動や変形を確実に回避することができ、かつ簡単な加工により回転電機固定子の回り止め構造を提供することを目的とする。
【課題を解決するための手段】
【００１０】
上記課題を解決するために本発明の実施形態に係る回転電機の固定子では、軸方向に積層した積層鋼板を、当該積層鋼板の外周面の周方向に複数配置され、軸方向の全長に延設した複数の固定板で固定してなる固定子鉄心と、周方向に配置され、軸方向に延設する複数のリブによって形成される空間内に前記固定子鉄心を嵌合し、前記複数のリブを介して前記固定子鉄心を保持する固定子枠と、を備えた回転電機の固定子において、前記固定板は、前記固定子鉄心の外周面上の少なくとも４か所で、軸心を基準とした対称位置に、外方向に突出して設けると共に、前記リブは、前記固定板の内の少なくとも４か所の固定板に近接し、前記固定子鉄心が正逆回転しようとしたときに、当該回転方向に対し、軸心を基準とした対称位置の少なくとも２か所の固定板と、その側面が軸方向の全長にわたって当接するように設け、軸心を基準とした対称位置で、その側面が軸方向の全長にわたって当接する固定板とリブとにより前記固定子鉄心の回り止めを行うことを特徴とする。
【発明の効果】
【００１１】
以下に述べる本発明の実施形態によれば、突発短絡故障等によって瞬発的に過大な正逆の回転トルクが固定子鉄心にかかった場合でも、固定子鉄心の軸心移動や変形を確実に回避することができ、かつ簡単な加工により回転電機固定子の回り止め構造を提供することができる。
【図面の簡単な説明】
【００１２】
【図１】本発明の実施形態に係る回転電機の固定子の正面図。
【図２】本発明の実施形態に係る回転電機の固定子の斜視図。
【図３】本発明の実施形態に係る固定子鉄心の斜視図。
【図４】本発明の変形例１に係る回転電機の固定子の正面図。
【図５】本発明の変形例２に係る回転電機の固定子の正面図。
【図６】従来例に係る回転電機の固定子の正面図。
【発明を実施するための形態】
【００１３】
以下、本発明に係る実施形態について、図面を参照して説明する。
本発明の実施形態に係る回転電機の固定子について、図１〜図３を用いて説明する。
【００１４】
図１、図２に示すように、本発明の回転電機の固定子は、固定子鉄心１と固定子枠３とからなっている。
固定子鉄心１は、図３に示すように、円盤状の薄板鋼板を軸方向に積層してなり、その積層した積層鋼板５の外周面の周方向に複数配置され、軸方向に延設し外周面より外方向に突出した板状の複数の固定板２で溶接等で一体に固定されている。
【００１５】
固定子鉄心１の内部には図示しない回転子が配置される円筒状の空間６が形成されている。
固定板２の取付位置は、軸心を基準とした対象位置で、図示の例では軸心を通る中心線Ａ、Ｂを基準に上下、左右対称の少なくとも４か所の位置に取り付けている。
【００１６】
固定子枠３は、内部に筒状の空間が形成されており、該空間内に、周方向に複数配置され、軸方向に延設したリブ４が複数取り付けられている。そして、その複数のリブ４によって形成される空間６内に固定子鉄心１が嵌合され、固定子鉄心１がリブ４を介して固定子枠３に固定されるように構成されている。
【００１７】
複数のリブ４の取付位置は、固定子鉄心１がリブ４によって形成された空間６内に嵌合された時に、固定子鉄心１の外周面に複数取り付けた固定板２の内の少なくとも４か所の固定板２に近接し、固定子鉄心１が正逆回転しようとしたときに、その回転方向に対し、軸心を基準とした対称位置の少なくとも２か所の固定板２と、その側面が軸方向の全長にわたって当接する位置に取り付けている。図示の例では、軸心を通る中心線Ａ、Ｂを基準に上下、左右対称の少なくとも４か所の位置で、上側、下側のリブ４は、上側、下側の固定板２のそれぞれ内方位置、すなわち中心線Ｂ側に設けている。
【００１８】
リブ４の軸方向長さは固定子枠３の形状、構造等により決められるが、本実施形態では固定子鉄心１の軸方向長さより長くしてある。また、固定板２およびリブ４の径方向の高さは、両者の側面が当接する高さを有することが必要であるが、通常、リブ４の高さを固定板２より高くしてある。
【００１９】
以上、本実施形態に係る回転電機の固定子によれば、回転電機の運転時、突発短絡故障等によって固定子鉄心１に正逆回転トルクがかかり固定子鉄心１が回転しようとした場合、軸心を基準とした対象位置の少なくとも２か所、具体的には、対面関係にある２か所の固定板２とリブ４の当接面において、大きさが同じでその回転を止める逆方向の偶力が働くので、従来のような固定子鉄心１の軸心位置を移動させたり、変形やひずみを生じさせたりするような力が発生しない。また、固定板２とリブ４の側面同士が固定子鉄心１のほぼ全長にわたり当接するので、部分的な応力集中が生じず、固定板２やリブ４に変形や破損が生じることを確実に防止して固定子鉄心１の回転を止めることができる。
【００２０】
また、固定板２は、鋼板を積層した積層鋼板５の固定機能と、リブ４との当接による固定子鉄心１の回り止めの機能の両方を兼用しているため、回り止め用の特別の突起を改めて設ける必要がない。
【００２１】
（変形例１） 
本変形例が上記実施形態と異なるのは、図４に示すようにリブ４を、固定板２を挟むように一対（２か所）に設けた点である。
【００２２】
本変形例では、上記実施形態による効果に加えて、リブ４の本数が増えるので、回り止めの強度を向上することができる。
【００２３】
また、固定子鉄心１を固定子枠３に軸方向から挿入する際、固定板２を２か所のリブ４の間に沿って挿入することができるので、リブ４、４をガイド部材として利用することができる。
【００２４】
（変形例２）
本変形例が上記実施形態と異なるのは、図５に示すようにリブ４の両側に、固定板２を、リブ４を挟むように一対（２か所）に設けた点である。
【００２５】
本変形例では、上記実施形態による効果に加えて、固定板２の本数が増えるので、回り止めの強度および積層鋼板５の固定強度を向上することができる。
【００２６】
また、固定子鉄心１を固定子枠３に軸方向から挿入する際、２か所の固定板２をリブ４に沿って挿入することができるので、固定板２、２をガイド部材として利用することができる。
【００２７】
以上、本発明のいくつかの実施形態、変形例を説明したが、これらの実施形態等は、例として提示したものであり、発明の範囲を限定することは意図していない。これら新規な実施形態等は、その他の様々な形態で実施されることが可能であり、発明の要旨を逸脱しない範囲で、種々の省略、置き換え、変更を行うことができる。これら実施形態等は、発明の範囲や要旨に含まれるとともに、特許請求の範囲に記載された発明とその均等の範囲に含まれる。
【符号の説明】
【００２８】
１…固定子鉄心、２…固定板、３…固定子枠、４…リブ、５…積層鋼板、６…空間。
【図１】
2015228718.tif 000003
【図２】
2015228718.tif 000004
【図３】
2015228718.tif 000005
【図４】
2015228718.tif 000006
【図５】
2015228718.tif 000007
【図６】
2015228718.tif 000008